(57)【要約】  端末におけるＣＳＩ測定結果の精度を確保して、スループット低下を防ぐことができる端末。この端末において、受信処理部（２０３）は、複数の送信ポイントからそれぞれ送信される参照信号を受信し、ＣＳＩ生成部（２０６）は、複数の送信ポイントに対してそれぞれ設定された第１のサブフレームに基づいて第２のサブフレームを特定し、第２のサブフレーム以外のサブフレームでは、複数の送信ポイントの参照信号を用いてチャネル情報を生成し、第２のサブフレームでは、チャネル情報を生成せず、送信信号形成部（２０８）は、生成されたチャネル情報を送信する。
2013121728.tif 000002
【特許請求の範囲】
【請求項１】
複数の送信ポイントからそれぞれ送信される参照信号を受信する受信手段と、
前記複数の送信ポイントに対してそれぞれ設定された第１のサブフレームに基づいて第２のサブフレームを特定し、前記第２のサブフレーム以外のサブフレームでは、前記複数の送信ポイントの前記参照信号を用いてチャネル情報を生成し、前記第２のサブフレームでは、前記チャネル情報を生成しない生成手段と、
生成された前記チャネル情報を送信する送信手段と、
を具備する端末。
【請求項２】
前記第２のサブフレームは、前記複数の送信ポイントに設定された前記第１のサブフレームからなる、
請求項１記載の端末。
【請求項３】
前記第２のサブフレームは、前記複数の送信ポイントのうち一部であって少なくとも一つの送信ポイントに設定された前記第１のサブフレームのみからなる、
請求項１記載の端末。
【請求項４】
前記受信手段は、前記複数の送信ポイント毎の前記第１のサブフレームを示す情報を受信し、
前記生成手段は、前記情報に基づいて前記第２のサブフレームを特定する、
請求項１記載の端末。
【請求項５】
前記受信手段は、前記一部の送信ポイント毎の前記第１のサブフレームを示す情報を受信し、
前記生成手段は、前記情報に基づいて前記第２のサブフレームを特定する、
請求項３記載の端末。
【請求項６】
前記受信手段は、前記複数の送信ポイントの前記第１のサブフレームを示す第１の情報を受信し、前記一部の送信ポイントを示す第２の情報を受信し、
前記生成手段は、前記第２の情報が受信される度に、前記第１の情報に示される前記第１のサブフレームのうち、前記第２の情報に示される前記一部の送信ポイントに対応するサブフレームを、前記第２のサブフレームとする、
請求項３記載の端末。
【請求項７】
前記受信手段は、前記複数の送信ポイントの前記第１のサブフレームを示す情報を受信し、
前記生成手段は、前記情報に示される前記第１のサブフレームのうち、受信信号電力が閾値以上である送信ポイントに対応するサブフレームを、前記第２のサブフレームとする、
請求項１記載の端末。
【請求項８】
前記一部の送信ポイントと、複数送信ポイント協調送信の制御対象となる送信ポイントとは少なくとも一部が異なる、
請求項３記載の端末。
【請求項９】
前記一部の送信ポイントは、前記複数の送信ポイントのうち、複数送信ポイント協調送信の制御対象となる送信ポイントである、
請求項３記載の端末。
【請求項１０】
前記一部の送信ポイントを示す情報は、前記複数の送信ポイントのうち、いずれが前記一部の送信ポイントであるかを示すビットマップ型の情報である、
請求項３記載の端末。
【請求項１１】
前記一部の送信ポイントは、前記複数の送信ポイントのうち、チャネル情報がより良好である送信ポイントである、
請求項３記載の端末。
【請求項１２】
前記第１のサブフレームは、ページングが送信されるサブフレームである、
請求項１記載の端末。
【請求項１３】
端末に対して複数の送信ポイントを設定する設定手段と、
前記複数の送信ポイントに対してそれぞれ設定された第１のサブフレームに基づいて第２のサブフレームを特定し、前記第２のサブフレーム以外のサブフレームにおいて、前記複数の送信ポイントのチャネル情報を受信し、前記第２のサブフレームにおいて、前記チャネル情報を受信しない受信手段と、
を具備する基地局。
【請求項１４】
複数の送信ポイントからそれぞれ送信される参照信号を受信し、
前記複数の送信ポイントに対してそれぞれ設定された第１のサブフレームに基づいて第２のサブフレームを特定し、前記第２のサブフレーム以外のサブフレームでは、前記複数の送信ポイントの前記参照信号を用いてチャネル情報を生成し、前記第２のサブフレームでは、前記チャネル情報を生成せず、
生成された前記チャネル情報を送信する、
送信方法。
【請求項１５】
端末に対して複数の送信ポイントを設定し、
前記複数の送信ポイントに対してそれぞれ設定された第１のサブフレームに基づいて第２のサブフレームを特定し、前記第２のサブフレーム以外のサブフレームにおいて、前記複数の送信ポイントのチャネル情報を受信し、前記第２のサブフレームにおいて、前記チャネル情報を受信しない、
受信方法。
【発明の詳細な説明】
【技術分野】
【０００１】
本発明は、端末、基地局、送信方法及び受信方法に関する。
【背景技術】
【０００２】
３ＧＰＰ−ＬＴＥ（3rd Generation Partnership Project Radio Access Network Long Term Evolution、以下、ＬＴＥという）、及び、ＬＴＥをさらに拡張したLTE-Advanced（以下、「ＬＴＥ−Ａ」という）では、下りリンクの通信方式としてＯＦＤＭＡ（Orthogonal Frequency Division Multiple Access）が採用されている。【０００３】
ＯＦＤＭＡにおける周波数スケジューリング及びリンクアダプテーションのために、各端末（ＵＥ（User Equipment）と呼ばれることもある）は、チャネル情報（ＣＳＩ：Channel State Information）を測定し、チャネル情報（ＣＳＩ測定結果）を基地局（ｅＮＢと呼ばれることもある）へ報告する。一方、基地局は、チャネル情報（ＣＳＩ測定結果）を用いて端末に対して適切なリソース割当を実施する。【０００４】
ＬＴＥでは、セル固有の参照信号（ＣＲＳ：Cell specific Reference Signal）を用いてＣＳＩ測定が行われる。ＣＲＳは、全てのサブフレームで送信される。端末では、同期確保した時点でＣＲＳを観測することができる。【０００５】
一方、ＬＴＥ−Ａでは、ＣＳＩ−ＲＳ（チャネル品質測定用参照信号）を用いてＣＳＩ測定が行われる。なお、ＬＴＥ−Ａでは、ＬＴＥとの後方互換性を維持しつつ拡張されたシステムであるので、ＬＴＥ−Ａ特有の参照信号であるＣＳＩ−ＲＳは、時間・周波数の双方の領域において低密度で配置され、ＣＳＩ−ＲＳの挿入損を最小限としている。このため、端末は、低密度で配置されたＣＳＩ−ＲＳを観測するまでに、ＣＳＩ−ＲＳに関するパラメータを、セル内で報知される情報（報知情報）として取得する必要がある。ＣＳＩ−ＲＳに関するパラメータとして、送信アンテナ数、サブフレーム内の時間・周波数リソースの位置、及び、送信周期とサブフレームオフセット等が定義されている。【０００６】
また、ＬＴＥでは、ＣＳＩ測定及びＣＳＩ報告の動作として、周期的にＣＳＩ報告を実施する動作（以下、周期的ＣＳＩ報告と呼ぶ）、及び、非周期的にＣＳＩ報告を実施する動作（非周期的ＣＳＩ報告）の２通りがある。【０００７】
周期的ＣＳＩ報告では、端末は、規定の上りリンクのリソース（例えば、上り制御チャネル）を用いた報告に備えて、複数の測定動作のうち、予め通知された一つの測定動作に従ってＣＳＩ測定を実施し、ＣＳＩ測定結果を上り制御チャネルに配置して基地局へ報告する。測定動作の一例として、閉ループのＭＩＭＯ（Multiple Input Multiple Output）制御を想定したＣＳＩ報告が挙げられる。このＣＳＩ報告では、例えば、空間多重数を示すＲＩ（Rank Indicator）、広帯域の所望プリコーディングマトリクス（ＰＭＩ：Precoding Matrix Indicator）、広帯域のチャネル品質情報（ＣＱＩ：Channel Quality Indicator）を測定し報告する動作を採る。【０００８】
また、非周期的ＣＳＩ報告でも、周期的ＣＳＩ報告と同様、端末は、予め通知された一つの測定動作に従ってＣＳＩ測定を実施する。ただし、非周期的ＣＳＩ報告では、端末が基地局から指示されたタイミングでＣＳＩを報告する点、及び、共通データチャネル上のリソースを用いてＣＳＩを報告する点が周期的ＣＳＩ報告と異なる。【０００９】
上述したような測定動作を予め通知する方法として、無線リソース制御用のメッセージ（RRC signalling）を用いる方法がある。また、非周期的ＣＳＩ報告の指示は、下り制御チャネル（例えば、ＰＤＣＣＨ）を用いた上りデータチャネル（例えば、ＰＵＳＣＨ）の割当を通じて実施される。【００１０】
なお、周期的ＣＳＩ報告と非周期的ＣＳＩ報告とで異なる測定動作を通知することもできる。例えば、周期的ＣＳＩ報告では、前述のように、ＲＩ、広帯域ＰＭＩ及び広帯域ＣＱＩを報告する一方で、非周期的ＣＳＩ報告では、ＲＩ、広帯域ＰＭＩ及び狭帯域ＣＱＩを報告することもできる。つまり、非周期的ＣＳＩ報告では、周期的ＣＳＩ報告における広帯域ＣＱＩの代わりに狭帯域ＣＳＩが報告される。この場合、周期的ＣＳＩ報告を緊急性の低いデータ送信時に参照する大まかなリンクアダプテーション用途とし、非周期的ＣＳＩ報告を緊急性の高いデータ送信時に参照する詳細なリンクアダプテーション用途として、両者を使い分ける運用が可能となる。【００１１】
さらに、ＬＴＥ−Ａでは、周期的ＣＳＩ報告において予め通知された２種類の測定対象をそれぞれ報告する動作が追加された。また、ＬＴＥ−Ａでは、非周期的ＣＳＩ報告においても予め通知された２種類の測定対象と、基地局から指示されるタイミングとを関連付けて、各タイミングでは、２種類の測定対象のうちいずれか一方の測定対象に対応した報告を行う動作が追加された。２種類の測定対象は、RRC signallingを用いて、連続する４０サブフレームに対応したビットマップで通知される。【００１２】
また、ＬＴＥ−Ａでは、Carrier aggregationの概念が導入されており、非周期的ＣＳＩ報告の指示ビット数が２bitに拡張され、報告を指示されたComponent carrierの測定及び報告を行う動作に加え、予め通知された２種類のComponent carrier群の測定及び報告を行う動作を採ることができる。【００１３】
また、ＬＴＥ−Ａでは、複数基地局協調送信（ＣｏＭＰ：Coordinated multiple transmission point）の運用が検討されている。ＣｏＭＰは、端末（ＵＥ）に向けて複数の基地局（セル又は送信ポイント（ＴＰ：Transmission Point））が協調して信号を送信する手法であり、いくつかの方式が検討されている。例えば、３ＧＰＰにおいて検討されているＣｏＭＰの主な方式として、（１）ＣＢ（Coordinated beamforming）方式、及び、（２）ＪＴ（Joint Transmission）方式の２つの方式が挙げられる。【００１４】
ＣＢ方式は、或る端末へのデータを特定のＴＰのみで保有する方式である。すなわち、当該端末にとって、自機向けのデータを保有しないＴＰ（例えば端末が接続するＴＰの隣接ＴＰ）からの信号は干渉と見なされる。ＣＢ方式では、送信パラメータの制御により、このＴＰ間干渉を軽減する方法が採られる。具体的には、送信パラメータとしては、プリコーディング、送信電力、変調方式と符号化率等が挙げられる。これらの送信パラメータを適切に制御することにより、所望ＴＰ（端末向けのデータを保有するＴＰ）からの信号を強めつつ、干渉ＴＰ（端末向けのデータを保有しないＴＰ）からの信号を当該端末に対して弱くすることができる。状況によって、所望ＴＰからの信号を強めることと干渉ＴＰからの信号を弱めることとは互いに矛盾するものとなり得るが、双方のトレードオフを考慮した様々な提案がなされている。【００１５】
一方、ＪＴ方式は、或る端末へのデータを複数のＴＰで共有する方式である。よって、複数のＴＰが該当の端末向けの信号を同時送信することが可能である。このため、端末は、他ＴＰの信号を、干渉信号ではなく所望信号として扱うことができるので、端末で観測されるＳＩＮＲの改善が期待できる。さらに、ネットワーク内部の動作として、複数のＴＰにおけるプリコーディングウェイトの生成方法を工夫することによって、より大きな性能改善が得られる。【００１６】
このようなＣｏＭＰ制御に向けて、ＣｏＭＰ制御の対象となる各ＴＰと端末との間のチャネル情報を観測し、ＴＰ単位のチャネル情報としてネットワークに報告する方法がある。【００１７】
また、カバーエリアの大きさが異なる複数の基地局を用いたヘテロジーニアスネットワーク（Heterogeneous Network：ＨｅｔＮｅｔ）がある。ヘテロジーニアスネットワークは、大きなカバーエリアをカバーするマクロ基地局（「マクロセル」、「ＨＰＮ（High Power Node）」又は「Macro eNB」と呼ばれることもある）と、小さなカバーエリアをカバーするピコ基地局（「ピコセル」、「ＬＰＮ（Low Power Node）」又は「Pico eNB」と呼ばれることもある）とを併用するネットワークである。ヘテロジーニアスネットワークにおいて、マクロセルのカバーエリア内に配置されたピコセルに対して、マクロセルと同一の識別番号（セルＩＤ）を付与することで、物理層の信号を用いて移動制御（ハンドオーバ）を簡易に実現する方法が検討されている。このようなヘテロジーニアスネットワークの運用に向けて、ＬＴＥ−Ａに対応する端末（以下、ＬＴＥ−Ａ端末という）向けに新たに追加されたチャネル品質測定用参照信号（ＣＳＩ−ＲＳ）を用いてＬＴＥ−Ａ端末で測定されたチャネル情報（ＣＳＩ）をネットワークに報告させ、伝搬状況に応じた最適な送受信ポイントを選択する方法が検討されている（例えば、図１及び非特許文献１参照）。【００１８】
さらに、ヘテロジーニアスネットワークにおいてＣｏＭＰを適用することも検討されている。例えば、図１に示すＬＰＮ１とMacro eNBとの間で、ＣＢ方式又はＪＴ方式等のＣｏＭＰを適用することにより、端末における受信品質の改善が期待できる。【００１９】
ＣＳＩ−ＲＳは、ＣｏＭＰ制御時のＣＳＩ測定・報告に用いられる。図２Ａ〜Ｃは、各送信アンテナポート数のＣＳＩ−ＲＳの構成例を示す。図２Ａ〜Ｃに示すように、ＣＳＩ−ＲＳは、基地局の送信アンテナポート数（８ポート、４ポート又は２ポート）に応じた構成でそれぞれ定義される。図２Ａ〜Ｃでは、１ＲＢ（Resource Block）が１２サブキャリアで構成される。図２Ａ〜Ｃに示す各ブロックは、各サブキャリア内の、時間領域で連続する２つのＯＦＤＭシンボルのリソース（２ＲＥ（Resource Element））を表す。図２Ａ〜Ｃに示す各ブロック（２ＲＥ）では、２ポート分のＣＳＩ−ＲＳが符号多重される。【００２０】
各端末は、ＣＳＩ−ＲＳに関する情報を基地局から予め取得している。具体的には、ＣＳＩ−ＲＳに関する情報としては、アンテナポート数（antennaPortsCount）、サブフレーム内のサブキャリア及びＯＦＤＭシンボル位置を特定するＣＳＩ−ＲＳ構成番号（resourceConfig。以下、「CSI-RS config(i)」又は「#i」と表記する場合もある。図２Ａ〜ＣのCSI-RS config(0)〜(19)）、送信周期とオフセットとで構成される送信サブフレーム（subframeConfig）、及び、参照信号とデータ信号との電力比（p-C）等が挙げられる（非特許文献２及び３参照）。【００２１】
図２Ａ〜Ｃでは、時間方向の順に、かつ、同一時間では周波数方向の順に、ＣＳＩ−ＲＳ構成番号が付与されている。また、図２Ａ〜Ｃに示すように、各アンテナポート数に対応するＣＳＩ−ＲＳ構成間で、各ＣＳＩ−ＲＳ構成番号のリソースの開始位置（番号付与の順序における開始位置）には同一番号が付与されている。また、図２Ａ〜Ｃに示すように、アンテナポート数が少ない場合のＣＳＩ−ＲＳ構成は、アンテナポート数が多い場合のＣＳＩ−ＲＳ構成のサブセットを構成している（Nested structureと呼ばれることもある）。これにより、各アンテナポート数に対応するＣＳＩ−ＲＳ構成において重複した番号付けを用いつつ、アンテナポート数毎の各リソースの特定を必要最小限の番号にて網羅できる。例えば、図２Ｃに示す２ポートのCSI-RS config(0)は、図２Ａに示す８ポートのCSI-RS config(0)（８ＲＥ）のうち、開始位置から２ポート分のリソース（２ＲＥ）のみと特定することができる。【００２２】
なお、ＣｏＭＰ制御に向けて制御対象の各ＴＰ（以下では、「協調しているＴＰ」と標記する。又はCoMP measurement setとも呼ばれる。）と端末との間のチャネル情報を観測するために、基地局が各ＴＰのＣＳＩ−ＲＳに関する情報を端末に予め通知する手順を採る。【００２３】
また、端末が周辺のＴＰから送信される参照信号（ＣＳＩ−ＲＳ）を観測するために、当該端末が接続しているＴＰのデータを無送信信号とするミューティング（muting）の手法がある。具体的には、前述のＣＳＩ−ＲＳ構成番号のうち、４ポートに対応したＣＳＩ−ＲＳ構成番号であるCSI-RS config(0)〜(9)（図２Ｂ参照）のそれぞれをビットマップ（bitmap）表記とし、どのリソースを無送信信号リソースとするかが基地局から端末へ通知される。どのリソースを無送信信号リソースとするかを表すビットマップ型の情報は、無送信ＣＳＩ−ＲＳ構成番号リスト(zeroTxPowerResourceConfigList)と呼ばれる（非特許文献３参照）。【００２４】
例えば、CSI-RS config(0)〜(9)のうち、CSI-RS config(1)及び(2)のリソースを無送信信号リソースとする場合、無送信ＣＳＩ−ＲＳ構成番号リストは、｛0,1,1,0,0,0,0,0,0,0｝となる。ここでは、無送信ＣＳＩ−ＲＳ構成番号リストの先頭ビットから順に、CSI-RS config(0)〜(9)にそれぞれ対応し、「１」が無送信信号リソースを表し、「０」が無送信信号リソース以外のリソースを表す。【００２５】
また、無送信信号リソースが設定されるサブフレームとして、上述したＣＳＩ−ＲＳと同様に、送信周期とオフセットとで構成される送信サブフレーム（zeroTxPowerSubframeConfig）も併せて基地局から端末へ通知される。これにより、端末は、どのサブフレームのどのリソースが無送信信号リソースとなるかを特定することができる。【００２６】
図３は、或る端末が接続しているＴＰに設定されたzeroTxPowerSubframeConfigに対応するサブフレーム内の無送信信号リソースの位置（CSI-RS config(1)及び(2)）を示す。この場合、当該ＴＰの周辺に位置するＴＰのＣＳＩ−ＲＳ構成を、無送信信号リソース（図３ではCSI-RS config(1)又は(2)）のいずれかと対応させることにより、端末は、周辺ＴＰのＣＳＩ−ＲＳを所望信号として観測する際に、当該端末が接続しているＴＰからのデータから干渉を受けることがなくなり、ＣＳＩ測定精度を確保できる。【００２７】
なお、ＣＳＩ−ＲＳ送信及びミューティングの双方とも、システム帯域全体のチャネル品質測定に必要であることから、システム帯域全体に適用される。具体的には、ＣＳＩ−ＲＳ及びミューティングは、システム帯域中の全ＲＢに適用される。一方、ＣＳＩ−ＲＳ送信及びミューティングはＬＴＥ−Ａ用に追加された手法であるため、ＬＴＥのみに対応する端末（以下、ＬＴＥ端末という）は、ＣＳＩ−ＲＳ及びミューティングを検出できない。ＬＴＥ端末がＣＳＩ−ＲＳ及びミューティングを検出できないことにより生じる受信信号の復調性能劣化の影響を回避するため、特定のサブフレームでは、ＣＳＩ−ＲＳ送信及びミューティングを適用しない動作（以下、Ｄｒｏｐと標記する）が規定されている。Ｄｒｏｐが規定される特定のサブフレームとして、大きく分けて以下の３つのサブフレームが挙げられる。【００２８】
（１）TDD（Time Division Duplexing）システムにおける上り／下りパイロット信号送信スロット（TDD（FS type2）のSpacial subframe）
（２）ＣＳＩ−ＲＳ送信により同期信号、ＰＢＣＨ（Physical Broadcast Channel）、ＳＩＢ１（System Information Block Type 1）と衝突するサブフレーム
（３）基地局がPaging用に設定したサブフレーム(以降、ページングサブフレームと呼ぶ)【００２９】
図４は、ＦＤＤ（Frequency Division Duplexing）及びＴＤＤにおける、同期信号（ＰＳＳ（Primary Synchronization Signal）及びＳＳＳ（Secondary Synchronization Signal））、ＰＢＣＨ、及び、ＳＩＢ１が配置されるサブフレームの一例を示す。【００３０】
図５は、ＦＤＤにおけるページングサブフレームの設定例を示し、図６は、ＴＤＤにおけるページングサブフレームの設定例を示す。図５及び図６において、例えば、設定値「ｎＢ」がoneTの場合、１０ｍｓ（１０サブフレーム）につき１つのページングサブフレームが設定される（１０ｍｓ周期）。同様に、「ｎＢ」がhalfTの場合、２０ｍｓ（２０サブフレーム）につき１つのページングサブフレームが設定される（２０ｍｓ周期）。他の「ｎＢ」についても同様である。このように、設定値「ｎＢ」の値に応じて、ページングサブフレームが設定される周期（頻度）、つまり、ページングの送信頻度が決定される。
【先行技術文献】
【非特許文献】
【００３１】
【非特許文献１】3GPP TSG RAN WG1 meeting, R1-111469, Samsung, “Discussions on CSI-RS port selection for non-uniform networks with low-power nodes”, May 2011
【非特許文献２】3GPP TS 36.211 v10.4.0, Section 6.10.5, "3GPP TSG RAN E-UTRA Physical Channels and Modulation (Release 10)"
【非特許文献３】3GPP TS 36.331 v10.4.0, Section 6.3.2, "3GPP TSG RAN E-UTRA Radio Resource Control (RRC); Protocol specification (Release 10)"
【発明の概要】
【発明が解決しようとする課題】
【００３２】
上述した物理層での移動制御とＣｏＭＰ制御とを単純に組み合わせると、チャネル情報報告において次のような課題が生じる。【００３３】
端末がIdle状態になっているときの移動範囲を考慮すると、マクロセルでは、ページングに用いるリソース領域をピコセルよりも多く確保することが必要となる。このため、マクロセルでは、ピコセルよりもページングサブフレームをより多く（ページングの送信頻度を高く）設定した運用が予想される。【００３４】
ところが、端末はページングサブフレームの設定情報（以下、ページングサブフレーム情報と呼ぶ）を、制御信号の通知を受ける基地局（以下、ＰＣｅｌｌと呼ぶ）からのみ受け取る。このため、当該端末は、ＰＣｅｌｌ以外の他のセル（例えば周辺ＴＰ）のページングサブフレーム情報を知らずに動作することになる。つまり、当該端末は周辺ＴＰにおけるＤｒｏｐを把握していないので、ＣｏＭＰ制御に向けて周辺ＴＰを含む複数のＴＰのＣＳＩ測定時の測定精度が劣化してしまう。【００３５】
以下、ＣＳＩ測定精度が劣化してしまう動作の具体例について、図７〜図９を用いて説明する。【００３６】
ここでは、図７に示すように、ＣｏＭＰ制御対象となり得るセル（以下、ＴＰ候補と呼ぶ）として、ＰＣｅｌｌ（つまり、端末が制御信号を受け取るセル）に対応するＴＰ候補、当該ＰＣｅｌｌの周辺に位置する周辺ＴＰ候補Ａ及び周辺ＴＰ候補Ｂとする場合について説明する。なお、ＰＣｅｌｌに対応するＴＰ候補及び周辺ＴＰ候補Ａはピコセルとし、周辺ＴＰ候補Ｂはマクロセルとする。また、図８に示すように、各ＴＰ候補では、ＣＳＩ−ＲＳ送信及びミューティングがサブフレーム＃４，＃９（５ｍｓ周期）で適用されるものとする。【００３７】
また、ＰＣｅｌｌのページングサブフレーム情報として、２０ｍｓ周期（図５に示すｎＢ＝halfTに対応）が端末に通知されている。さらに、周辺ＴＰ候補Ｂ（マクロセル）では、ページングサブフレームとして、ＰＣｅｌｌよりも高い頻度である１０ｍｓ周期（図５に示すｎＢ＝oneTに対応）が設定されている。この場合、図８に示すように、３つのＴＰ候補のうち、周辺ＴＰ候補Ｂ（マクロセル）のみがページングサブフレームとなる状況（サブフレーム＃９）が生じる。ただし、図７に示す端末は、ＰＣｅｌｌのページングサブフレームのみを把握しており、周辺ＴＰ候補Ａ及び周辺ＴＰ候補Ｂのページングサブフレームを把握していない。【００３８】
例えば、図８に示すサブフレーム＃４において、端末がＰＣｅｌｌに対応するＴＰ候補に対するＣＳＩを測定する際、周辺ＴＰ候補Ａ及び周辺ＴＰ候補Ｂではミューティングが適用される。よって、端末は、他のＴＰ候補からの干渉を受けること無く、ＰＣｅｌｌに対応するＴＰ候補からのＣＳＩ−ＲＳを受信することができる。よって、図９（通常時）に示すように、ＰＣｅｌｌに対応するＴＰ候補から送信されたＣＳＩ−ＲＳを用いて算出された所望信号成分（S1）と、当該ＴＰ候補の信号成分以外の信号成分から得られる干渉・雑音成分（I+N）とを用いてＣＳＩ測定結果（例えば、ＳＩＮＲ（Signal to Interference and Noise Ratio）。（S1/(I+N)））が得られる。図７に示す周辺ＴＰ候補Ａに対するＣＳＩ測定結果（S2/(I+N)）及び周辺ＴＰ候補Ｂに対するＣＳＩ測定結果（S3/(I+N)）についても同様である。【００３９】
一方、図８に示すサブフレーム＃９では、周辺ＴＰ候補Ａにおいてミューティングが適用されるものの、周辺ＴＰ候補ＢにおいてＤｒｏｐが生じるので、周辺ＴＰ候補Ｂは、他のＴＰ（例えば、ＰＣｅｌｌに対応するＴＰ候補）がＣＳＩ−ＲＳ送信するリソースでも無信号送信とせず、ページング又はデータ信号等を送信する。よって、図８に示すサブフレーム＃９において、端末がＰＣｅｌｌに対応するＴＰ候補に対するＣＳＩを測定する際、端末では、ＰＣｅｌｌに対応するＴＰ候補から送信されるＣＳＩ−ＲＳに対して、周辺ＴＰ候補Ｂからの信号が干渉を与えてしまう。【００４０】
よって、図９（Ｄｒｏｐ時）に示すように、端末では、ＰＣｅｌｌに対応するＴＰ候補に対して、周辺ＴＰ候補Ｂから送信される信号成分（S3'）が混入したＣＳＩ測定結果（S1/(I+S3'+N)）を得ることになる。図７に示す周辺ＴＰ候補Ａに対するＣＳＩ測定結果（S2/(I+S3'+N)）についても同様である。また、端末は、図８に示すサブフレーム＃９において周辺ＴＰ候補Ｂに対するＣＳＩを測定する際、ＣＳＩ−ＲＳではない信号成分を用いて算出された所望信号成分（S3"）を得る。このため、端末では、周辺ＴＰ候補Ｂに対して、通常の動作で想定しているＣＳＩ測定結果（S3/(I+N)）とは異なるＣＳＩ測定結果（S3"/(I+N)）を得ることになる。【００４１】
このように、周辺ＴＰにおいてＤｒｏｐ時にはミューティングが適用されないので、端末では、ＣＳＩ測定対象のＴＰから送信されるＣＳＩ−ＲＳに対して、当該周辺ＴＰから送信される信号（ページング又はデータ信号）が干渉を与えてしまい（つまり、ＣＳＩ−ＲＳが直交せず）、ＣＳＩ測定精度が劣化する。また、周辺ＴＰにおいてＤｒｏｐ時にはＣＳＩ−ＲＳ送信が適用されないので、当該周辺ＴＰがＣＳＩ測定対象の場合、端末は、Ｄｒｏｐによって実際には送信されていないＣＳＩ−ＲＳのリソース位置での受信信号（データ信号）を用いて所望信号成分を測定してしまうので、ＣＳＩ測定精度が劣化する。上記より、端末で得られるＣＳＩ測定結果の精度を確保できず、ＣｏＭＰ制御を適切に行えなくなることにより、スループット低下が生じることになる。【００４２】
本発明の目的は、端末におけるＣＳＩ測定結果の精度を確保して、スループット低下を防ぐことができる端末、基地局、送信方法及び受信方法を提供することを目的とする。
【課題を解決するための手段】
【００４３】
本発明の一態様の端末は、複数の送信ポイントからそれぞれ送信される参照信号を受信する受信手段と、前記複数の送信ポイントに対してそれぞれ設定された第１のサブフレームに基づいて第２のサブフレームを特定し、前記第２のサブフレーム以外のサブフレームでは、前記複数の送信ポイントの前記参照信号を用いてチャネル情報を生成し、前記第２のサブフレームでは、前記チャネル情報を生成しない生成手段と、生成された前記チャネル情報を送信する送信手段と、を具備する構成を採る。【００４４】
本発明の一態様の基地局は、端末に対して複数の送信ポイントを設定する設定手段と、前記複数の送信ポイントに対してそれぞれ設定された第１のサブフレームに基づいて第２のサブフレームを特定し、前記第２のサブフレーム以外のサブフレームにおいて、前記複数の送信ポイントのチャネル情報を受信し、前記第２のサブフレームにおいて、前記チャネル情報を受信しない受信手段と、を具備する構成を採る。【００４５】
本発明の一態様の送信方法は、複数の送信ポイントからそれぞれ送信される参照信号を受信し、前記複数の送信ポイントに対してそれぞれ設定された第１のサブフレームに基づいて第２のサブフレームを特定し、前記第２のサブフレーム以外のサブフレームでは、前記複数の送信ポイントの前記参照信号を用いてチャネル情報を生成し、前記第２のサブフレームでは、前記チャネル情報を生成せず、生成された前記チャネル情報を送信する。【００４６】
本発明の一態様の受信方法は、端末に対して複数の送信ポイントを設定し、前記複数の送信ポイントに対してそれぞれ設定された第１のサブフレームに基づいて第２のサブフレームを特定し、前記第２のサブフレーム以外のサブフレームにおいて、前記複数の送信ポイントのチャネル情報を受信し、前記第２のサブフレームにおいて、前記チャネル情報を受信しない。
【発明の効果】
【００４７】
本発明によれば、端末におけるＣＳＩ測定結果の精度を確保して、スループット低下を防ぐことができる。
【図面の簡単な説明】
【００４８】
【図１】ＨｅｔＮｅｔにおいてＣｏＭＰを適用した際のＣＳＩ報告を示す図
【図２】ＣＳＩ−ＲＳ構成を示す図
【図３】無送信信号リソースの設定例を示す図
【図４】同期信号、ＰＢＣＨ、ＳＩＢ１の設定例を示す図
【図５】ＦＤＤにおけるページングサブフレームの設定例を示す図
【図６】ＴＤＤにおけるページングサブフレームの設定例を示す図
【図７】ＣｏＭＰ制御対象となり得るＴＰ候補の一例を示す図
【図８】各ＴＰ候補のサブフレームの設定例を示す図
【図９】各ＴＰ候補のチャネル情報を示す図
【図１０】本発明の実施の形態１に係る基地局の主要構成を示すブロック図
【図１１】本発明の実施の形態１に係る端末の主要構成を示すブロック図
【図１２】本発明の実施の形態１に係る基地局の構成を示すブロック図
【図１３】本発明の実施の形態１に係る端末の構成を示すブロック図
【図１４】本発明の実施の形態１に係るＣＳＩ報告の説明に供する図
【図１５】本発明の実施の形態２に係る一部のＴＰ情報及びページングサブフレーム情報の通知例を示す図
【図１６】本発明の実施の形態２に係る基地局及び端末の処理を示すシーケンス図
【図１７】本発明の実施の形態２に係るＣＳＩ報告の説明に供する図
【発明を実施するための形態】
【００４９】
以下、本発明の実施の形態について図面を参照して詳細に説明する。なお、実施の形態において、同一の構成要素には同一の符号を付し、その説明は重複するので省略する。
【００５０】
［実施の形態１］
［通信システムの概要］
本発明の実施の形態１に係る通信システムは、基地局１００と端末２００とを有する。基地局１００は、ＬＴＥ−Ａ基地局であり、端末２００は、ＬＴＥ−Ａ端末である。
【００５１】
図１０は、本発明の実施の形態１に係る基地局１００の主要構成図である。基地局１００において、設定部１０１が、端末２００に対して複数のＴＰを設定し、受信処理部１０８が、複数のＴＰに対してそれぞれ設定されたページングサブフレーム（第１のサブフレーム）に基づいて特定されるサブフレーム（第２のサブフレーム）以外のサブフレームにおいて、複数のＴＰのＣＳＩ（チャネル情報）を受信し、上記特定されたサブフレームにおいて、ＣＳＩを受信しない。
【００５２】
図１１は、本発明の実施の形態１に係る端末２００の主要構成図である。端末２００において、受信処理部２０３が、複数のＴＰからそれぞれ送信されるＣＳＩ−ＲＳ（参照信号）を受信し、ＣＳＩ生成部２０６が、複数のＴＰに対してそれぞれ設定されたページングサブフレーム（第１のサブフレーム）に基づいて特定されるサブフレーム（第２のサブフレーム）以外のサブフレームでは、複数のＴＰのＣＳＩ−ＲＳを用いてＣＳＩ（チャネル情報）を生成し、上記特定されたサブフレームでは、ＣＳＩを生成せず、送信信号形成部２０８が、生成されたＣＳＩを送信する。
【００５３】
また、以下では、上りリンクと下りリンクとが周波数分割されるＦＤＤシステムを前提として説明する。しかし、これに限らず、上りリンクと下りリンクとが時間分割されるＴＤＤシステムにおいて、端末２００が基地局１００にチャネル情報を報告する構成でもよい。
【００５４】
また、以下では、一例として、単一の基地局１００によって、２つのＴＰを形成する構成について説明する。しかし、これに限らず、複数の基地局１００により各ＴＰをそれぞれ形成し、適切に信号を共有することにより両者を連携して動作させる構成でもよい。
【００５５】
［基地局１００の構成］
図１２は、本発明の実施の形態１に係る基地局１００の構成を示すブロック図である。図１２において、基地局１００は、設定部１０１と、符号化・変調部１０２、１０３と、送信処理部１０４と、送信部１０５−１、１０５−２と、アンテナ１０６−１、１０６−２と、受信部１０７−１、１０７−２と、受信処理部１０８と、データ受信部１０９と、ＣＳＩ受信部１１０とを有する。
【００５６】
設定部１０１は、ＣＳＩ報告対象端末２００に対して、そのＣＳＩ報告対象端末２００の接続先候補となり得る複数の送信ポイント（ＴＰ）を示す、制御情報としての「ＴＰ候補情報」を生成する。ＴＰ候補情報には、移動制御の候補となる送信ポイント（ＴＰ）に関する情報として、アンテナ数、リソースの位置、参照信号の送信タイミング等のパラメータが送信ポイント毎に含まれる。すなわち、設定部１０１は、各ＴＰからの信号を用いてチャネル情報（ＣＳＩ）を測定するのに必要なパラメータを、ＣＳＩ報告対象端末２００に対して設定する。
【００５７】
また、設定部１０１は、ＣＳＩ報告対象端末２００に対して、ＴＰ候補情報に含まれる各ＴＰに対するページングサブフレーム（ページングが送信されるサブフレーム）の設定を示すページングサブフレーム情報をＴＰ毎に生成する。
【００５８】
以上のように設定部１０１によって生成されたＴＰ候補情報及び各ＴＰに対するページングサブフレーム情報は、制御情報として、符号化・変調部１０２、送信処理部１０４、及び送信部１０５において送信処理がなされた後に、ＣＳＩ報告対象端末２００へ送信される。ＴＰ候補情報及びページングサブフレーム情報を通知する制御情報として、無線リソース制御の情報（RRC signalling）を用いることができる。
【００５９】
また、設定部１０１は、ＴＰ候補情報及びページングサブフレーム情報を符号化・変調部１０２を介してＣＳＩ報告対象端末２００へ送信すると共に、受信処理部１０８へ出力する。
【００６０】
また、設定部１０１は、前述のヘテロジーニアスネットワークにおける物理層での移動制御の対象端末２００に対して、下りリンクのチャネル情報の報告(以降、下りＣＳＩ報告と記載。又は下りCSI feedbackと呼ぶこともある)を、複数の送受信ポイント（複数のセル）と端末との間の各下りリンクのチャネルに対し測定し報告するように通知する。この通知（つまり下りＣＳＩの報告要求）は、例えば上位レイヤ情報として通知される。この下りＣＳＩ報告は、周期的なタイミング、又は、トリガ情報に基づいた任意のタイミングで（非周期的に）実施することもできる。なお、トリガ情報は例えば下り制御チャネル（ＰＤＣＣＨ（Physical Downlink Control Channel））に含まれる。また、周期的なタイミングで実施されるＣＳＩ報告は、ＣＳＩ報告対象端末に別途設定した上り制御チャネル（ＰＵＣＣＨ（Physical Uplink Control Channel））に含まれる。
【００６１】
また、設定部１０１は、リソース（ＲＢ）割当情報、及び、１つ又は複数のトランスポートブロック（ＴＢ）に対するＭＣＳ（Modulation and Coding Scheme）情報を含む、割当制御情報を生成する。割当制御情報には、上りリンクデータを割り当てる上りリソース（例えば、ＰＵＳＣＨ）に関する割当制御情報、下りリンクデータを割り当てる下りリソース（例えば、ＰＤＳＣＨ（Physical Downlink Shared Channel））に関する割当制御情報がある。割当制御情報は、送信処理部１０４及び受信処理部１０８に出力されるとともに、ＰＤＣＣＨによって、基地局１００から端末２００へ通知される。
【００６２】
符号化・変調部１０２は、設定部１０１から受け取る、設定情報、トリガ情報及び割当制御情報を符号化及び変調し、得られた変調信号を送信処理部１０４へ出力する。
【００６３】
符号化・変調部１０３は、入力されるデータ信号（送信データ）を符号化及び変調し、得られた変調信号を送信処理部１０４へ出力する。
【００６４】
送信処理部１０４は、符号化・変調部１０２及び符号化・変調部１０３から受け取る変調信号を、設定部１０１から受け取る下りリソース割当情報の示すリソースにマッピングすることにより、送信信号を形成する。ここで、送信信号がＯＦＤＭ信号である場合には、変調信号を、設定部１０１から受け取る下りリソース割当情報の示すリソースにマッピングし、逆高速フーリエ変換（ＩＦＦＴ）処理を施して時間波形に変換し、ＣＰ（Cyclic Prefix）を付加することにより、ＯＦＤＭ信号が形成される。
【００６５】
送信部１０５−１又は１０５−２は、送信処理部１０４から受け取る送信信号に対して送信無線処理（アップコンバート、ディジタルアナログ（Ｄ／Ａ）変換など）を施し、アンテナ１０６−１又は１０６−２を介して送信する。
【００６６】
受信部１０７−１及び１０７−２は、アンテナ１０６−１又は１０６−２を介して受信した無線信号に対して受信無線処理（ダウンコンバート、アナログディジタル（Ａ／Ｄ）変換など）を施し、得られた受信信号を受信処理部１０８へ出力する。
【００６７】
なお、複数設けた送受信部及びアンテナについて、例えば、送信部１０５−１、受信部１０７−１及びアンテナ１０６−１をマクロセルの形成に用い、送信部１０５−２、受信部１０７−２及びアンテナ１０６−２をピコセルの形成に用いるといった運用も可能である。
【００６８】
受信処理部１０８は、設定部１０１から受け取る上りリソース割当情報に基づいて上りデータ信号及びＡＣＫ／ＮＡＣＫ情報がマッピングされているリソースを特定し、受信信号から、特定されたリソースにマッピングされている信号成分を抽出する。
【００６９】
また、受信処理部１０８は、設定部１０１から受け取る、ＴＰ候補情報及び各ＴＰのページングサブフレーム情報を含む設定情報、及び、トリガ情報に基づいて、ＣＳＩ報告がマッピングされているリソースを特定し、受信信号から、特定されたリソースにマッピングされている信号成分を抽出する。具体的には、受信処理部１０８は、ＴＰ候補情報に含まれるＴＰ候補に対応するページングサブフレーム情報に示されるページングサブフレームでは、端末２００からＣＳＩ報告が送信されないと判断し、ＣＳＩ報告の受信処理を行わない。一方、受信処理部１０８は、ＴＰ候補情報に含まれるＴＰ候補に対応するページングサブフレーム情報に示されるページングサブフレーム以外のサブフレームでは、以下のように上記特定されるリソースでＣＳＩ報告を受信する。受信処理部１０８は、周期的なＣＳＩ報告に対しては規定のサブフレームにおいて、上記特定されたリソースでＣＳＩ報告を受信する。一方、受信処理部１０８は、非周期的なＣＳＩ報告に対してはトリガ情報が送信されたサブフレームから４サブフレーム後のサブフレームにおいて、上記特定されたリソースでＣＳＩ報告を受信する。
【００７０】
つまり、受信処理部１０８は、ＴＰ毎のページングサブフレーム情報（複数のＴＰに対してそれぞれ設定されたページングサブフレーム）に基づいて、端末２００からＣＳＩが報告されないサブフレームを特定する。そして、受信処理部１０８は、特定したサブフレーム以外のサブフレームにおいて、複数のＴＰのＣＳＩを受信し、上記特定したサブフレームにおいてＣＳＩを受信しない。
【００７１】
ここで、受信信号が空間多重された（つまり、複数のコードワード（ＣＷ）によって送信された）信号である場合には、受信処理部１０８は、受信信号をＣＷ毎に分離する。また、受信信号がＯＦＤＭ信号である場合には、受信処理部１０８は、抽出された信号成分に対してＩＤＦＴ（Inverse Discrete Fourier Transform）処理を施すことにより、時間領域信号に変換する。
【００７２】
こうして受信処理部１０８によって抽出された上りデータ信号（受信データ）及びＡＣＫ／ＮＡＣＫ情報は、データ受信部１０９へ出力され、ＣＳＩは、ＣＳＩ受信部１１０へ出力される。
【００７３】
データ受信部１０９は、受信処理部１０８から受け取る信号を復号する。これにより、上りリンクデータ及びＡＣＫ／ＮＡＣＫ情報が得られる。
【００７４】
ＣＳＩ受信部１１０は、受信処理部１０８から受け取る信号を復調する。これにより、ＣＳＩが得られる。基地局１００は、受信した各送信ポイントのＣＳＩに基づいて、スケジューリング、リンクアダプテーション及びＣｏＭＰ制御等を実施する。
【００７５】
［端末２００の構成］
図１３は、本発明の実施の形態１に係る端末２００の構成を示すブロック図である。ここでは、端末２００は、ＬＴＥ−Ａ端末である。
【００７６】
図１３において、端末２００は、アンテナ２０１と、受信部２０２と、受信処理部２０３と、リファレンス信号生成部２０４と、データ信号生成部２０５と、ＣＳＩ生成部２０６と、送信制御部２０７と、送信信号形成部２０８と、送信部２０９とを有する。
【００７７】
受信部２０２は、アンテナ２０１を介して受信した無線信号に対して受信無線処理（ダウンコンバート、アナログディジタル（Ａ／Ｄ）変換など）を施し、得られた受信信号を受信処理部２０３へ出力する。
【００７８】
受信処理部２０３は、受信信号に含まれる設定情報（ＴＰ候補情報、ページングサブフレーム情報）、割当制御情報、トリガ情報、及びデータ信号を抽出する。受信処理部２０３は、割当制御情報を送信制御部２０７へ出力し、設定情報及びトリガ情報をＣＳＩ生成部２０６へ出力する。また、受信処理部２０３は、抽出されたデータ信号に対しては誤り検出処理を行い、誤り検出結果に応じたＡＣＫ／ＮＡＣＫ情報をデータ信号生成部２０５へ出力する。また、受信処理部２０３は、設定情報内のＴＰ候補情報に基づいて、受信信号から、複数のＴＰからそれぞれ送信される参照信号（例えば、ＣＳＩ−ＲＳ）を抽出し、参照信号をＣＳＩ生成部２０６に出力する。
【００７９】
リファレンス信号生成部２０４は、送信制御部２０７から生成指示を受け取ると、リファレンス信号（例えば、ＳＲＳ：Sounding Reference Signal）を生成し、送信信号形成部２０８へ出力する。
【００８０】
データ信号生成部２０５は、ＡＣＫ／ＮＡＣＫ情報及び送信データを入力とし、送信制御部２０７から受け取るＭＣＳ情報に基づいてＡＣＫ／ＮＡＣＫ情報及び送信データを符号化及び変調することにより、データ信号を生成する。Non-MIMO送信の場合には、１つのコードワード（ＣＷ）でデータ信号が生成され、MIMO送信の場合には、２つのコードワードでデータ信号が生成される。なお、受信信号がＯＦＤＭ信号の場合には、データ信号生成部２０５は、ＣＰ除去処理、ＦＦＴ処理も行う。
【００８１】
ＣＳＩ生成部２０６は、ＴＰ候補情報、ページングサブフレーム情報、及び、トリガ情報に基づいて、ＣＳＩ（チャネル情報）を生成する。具体的には、ＣＳＩ生成部２０６は、複数のＴＰに対してそれぞれ設定されたページングサブフレーム（つまり、Ｄｒｏｐのタイミング）に基づいて、ＣＳＩ生成（ＣＳＩ報告）を行わないサブフレームを特定する。ＣＳＩ生成を行わないサブフレームは、例えば、複数のＴＰに設定されたページングサブフレームからなる。例えば、複数のＴＰのページングサブフレームは、図５（又は図６）に示すように、所定の頻度（設定値ｎＢ）でそれぞれ設定されている。また、図５に示すように、低い頻度の設定値ｎＢが設定されたページングサブフレームは、当該設定値ｎｂよりも高い頻度が設定されたページングサブフレームを構成する。そこで、ＣＳＩ生成部２０６は、複数のＴＰにそれぞれ設定されたページングサブフレームのうち、最も高い頻度で設定されたページングサブフレームを、ＣＳＩ生成を行わないサブフレームとして特定してもよい。そして、ＣＳＩ生成部２０６は、特定したサブフレーム以外のサブフレームでは、複数のＴＰのＣＳＩ−ＲＳを用いてＣＳＩを生成し、上記特定したサブフレームでは、ＣＳＩを生成しない。
【００８２】
また、ＣＳＩ生成部２０６は、周期的なＣＳＩ報告が設定された場合、ＴＰ情報に含まれる全てのＴＰからのＣＳＩ−ＲＳを用いたＣＳＩ測定により、ＣＳＩを生成する。一方、ＣＳＩ生成部２０６は、非周期的なＣＳＩ報告が設定された場合、ＴＰ情報に含まれる全てのＴＰのＣＳＩ報告に対応するトリガ情報を受信すると、ＴＰ情報に含まれる全てのＴＰからのＣＳＩ−ＲＳを用いたＣＳＩ測定により、ＣＳＩを生成する。
【００８３】
送信制御部２０７は、受信処理部２０３から受け取る割当制御情報に基づいて、データ信号をマッピングする「データマッピングリソース」を特定し、データマッピングリソースに関する情報（以下、「データマッピングリソース情報」と呼ばれることがある）を送信信号形成部２０８へ出力すると共に、割当制御情報に含まれるＭＣＳ情報をデータ信号生成部２０５へ出力する。
【００８４】
送信信号形成部２０８は、リファレンス信号生成部２０４から受け取るリファレンス信号をリファレンス信号用のマッピングリソースにマッピングする。また、送信信号形成部２０８は、データ信号生成部２０５から受け取るデータ信号をデータマッピングリソース情報の示すデータマッピングリソースにマッピングする。また、送信信号形成部２０８は、ＣＳＩ生成部２０６から受け取るＣＳＩ報告を、ＣＳＩ報告用のマッピングリソースにマッピングする。こうして送信信号が形成される。なお、Ｎｏｎ−ＭＩＭＯ送信の場合には、１コードワードのデータ信号が１レイヤに割り当てられ、ＭＩＭＯ送信の場合には、２コードワードのデータ信号が複数のレイヤに割り当てられる。また、送信信号がＯＦＤＭ信号の場合には、送信信号形成部２０８は、データ信号をＤＦＴ（Discrete Fourier transform）処理した後に、データマッピングリソースにマッピングする。また、形成された送信信号に対してＣＰが付加される。
【００８５】
送信部２０９は、送信信号形成部２０８で形成された送信信号に対して送信無線処理（アップコンバート、ディジタルアナログ（Ｄ／Ａ）変換など）を施してアンテナ２０１を介して送信する。
【００８６】
［基地局１００及び端末２００の動作］
以上の構成を有する基地局１００及び端末２００の動作について説明する。
【００８７】
基地局１００において、設定部１０１は、設定対象端末２００に対して、ＴＰ候補を設定する。また、設定部１０１は、設定対象端末２００に対する各ＴＰ候補のページングサブフレームを示すページングサブフレーム情報を設定する。
【００８８】
ＴＰ候補情報及びページングサブフレーム情報を含む設定情報は、例えば、RRC signallingによって基地局１００から端末２００へ通知される。これにより、ＴＰ候補情報及びページングサブフレーム情報は、基地局１００と端末２００との間で予め共有される。基地局１００は、ＴＰ候補情報及びページングサブフレーム情報を通知することで、端末２００に対して、ＴＰ候補に含まれる全てのＴＰのＣＳＩを報告させる。
【００８９】
なお、基地局１００は、設定情報を、CQI-ReportConfigメッセージに含めて通知してもよい。また、基地局１００は、ＣＳＩ報告対象端末２００に対して周期的ＣＳＩ報告又は非周期的ＣＳＩ報告の何れであるかを設定し、設定した情報を、CQI-ReportConfigメッセージに含めて通知してもよい。
【００９０】
一方、端末２００において、ＣＳＩ生成部２０６は、設定情報（ＴＰ候補情報、ページングサブフレーム情報）及びトリガ情報に基づいて、各報告タイミングにおいてＣＳＩ報告を生成する。具体的には、ＣＳＩ生成部２０６は、各報告タイミングにおいて、ＴＰ候補情報に示されるＴＰ候補全てのＣＳＩを測定し、ＣＳＩを生成する。
【００９１】
ここで、上記報告タイミングは、周期的ＣＳＩ報告の場合におけるＴＰ候補全てのＣＳＩ報告に設定された送信タイミング、及び、非周期的ＣＳＩ報告の場合におけるＴＰ候補全てのＣＳＩ報告に対応したトリガのタイミングのうち、各ＴＰ候補のページングサブフレーム（ＴＰがＤｒｏｐを実施するサブフレーム）に対応するタイミングを除いたタイミングを指す。つまり、ＣＳＩ生成部２０６は、各ＴＰ候補のページングサブフレーム情報に示されるページングサブフレームに対応する報告タイミングでは、ＴＰ候補全てのＣＳＩの報告を停止する。
【００９２】
一方、基地局１００において、受信処理部１０８は、各ＴＰのページングサブフレーム情報に示されるページングサブフレームに対応するサブフレームでは、端末２００からＣＳＩ報告が送信されないことを把握して、各報告タイミングにおいてＣＳＩ報告を受信する。
【００９３】
このようにして、基地局１００は、端末２００が接続しているＴＰのみでなく、複数のＴＰのページングサブフレーム（つまり、Ｄｒｏｐのタイミング）を端末２００に対して通知する。これにより、端末２００は、端末２００が接続しているＴＰ（ＰＣｅｌｌに対応するＴＰ候補）以外の他のＴＰのページングサブフレームも特定することができる。そして、端末２００は、いずれか１つのＴＰ候補においてページングサブフレームが設定されているタイミングでは、ＣＳＩ報告を停止する。つまり、端末２００は、或るＴＰのＤｒｏｐ時に測定されるＣＳＩ（図９（Ｄｒｏｐ時）に示すＣＳＩ）の報告を除外する。
【００９４】
例えば、図７に示すＰＣｅｌｌに対応するＴＰ候補（ピコセル、ｎＢ＝halfT）、周辺ＴＰ候補Ａ（ピコセル、ｎＢ＝halfT）、及び、周辺ＴＰ候補Ｂ（マクロセル、ｎＢ＝oneT）がＴＰ候補情報に示されている場合について説明する。
【００９５】
この場合、ＣＳＩ生成部２０６は、各ＴＰ候補に対してそれぞれ設定されたページングサブフレームに基づいてＣＳＩ生成を停止するサブフレームを特定する。例えば、図１４では、ＣＳＩ生成部２０６は、ページングサブフレームの設定の頻度が最も高い（周期が短い）、周辺ＴＰ候補Ｂ（ｎＢ＝oneT）のページングサブフレーム（サブフレーム＃９）を、ＣＳＩ生成を停止するサブフレームとする。つまり、ＣＳＩ生成を停止するサブフレームは、複数のＴＰ（ＰＣｅｌｌに対応するＴＰ候補、周辺ＴＰ候補Ａ、周辺ＴＰ候補Ｂ）に設定されたページングサブフレームからなる。
【００９６】
ここで、図１４に示す破線の楕円で囲まれたサブフレーム＃９では、周辺ＴＰ候補Ｂのみにページングサブフレームが設定され、ＣＳＩ−ＲＳ送信及びミューティングが適用されない。このため、当該サブフレームでは、ＣＳＩ生成部２０６は、周辺ＴＰ候補Ｂから送信される信号が与える干渉（Ｄｒｏｐの影響）によって測定精度が劣化したＣＳＩを生成するおそれがある。これに対して、図１４に示すように、端末２００は、各ＴＰのページングサブフレームではＣＳＩ報告を行わないので、測定精度が劣化するおそれがあるＣＳＩを除外し、正常に測定されたＣＳＩを基地局１００へ報告することができる。
【００９７】
よって、基地局１００は、端末２００から報告されるＣＳＩを用いて、ＣｏＭＰ制御等を適切に実施することができる。つまり、基地局１００は、ＤｒｏｐによるＣＳＩ測定精度劣化の影響を排除して、ＣｏＭＰ制御を適用することができる。よって、本実施の形態によれば、端末２００におけるＣＳＩ測定結果の精度を確保して、スループット低下を防ぐことができる。また、本実施の形態によれば、測定精度の劣悪なＣＳＩ報告の動作に伴う電力消費を抑えることができる。
【００９８】
また、従来、基地局１００は、ＴＰ候補毎のページングサブフレーム情報を予め保持しており、端末２００が接続しているＴＰ候補（ＰＣｅｌｌ）のページングサブフレーム情報のみを端末２００に対して通知していた。これに対して、本実施の形態では、基地局１００は、端末２００に対して、ＴＰ候補毎に１つのページングサブフレーム情報を設定する。よって、本実施の形態によれば、各ＴＰ候補のページングサブフレーム情報として、予め保持していた既存のページングサブフレーム情報を流用することができる。
【００９９】
［実施の形態２］
本実施の形態に係る基地局及び端末は、実施の形態１に係る基地局１００及び端末２００と基本構成が共通するので、図１２，１３を援用して説明する。
【０１００】
本実施の形態に係る基地局１００において、設定部１０１は、実施の形態１の動作に加え、ＣＳＩ報告対象端末２００に対して、ＴＰ候補情報に含まれる複数のＴＰ候補のうち、一部の送信ポイントであって少なくとも一つの送信ポイントを示す「一部のＴＰ情報」を生成する。例えば、設定部１０１は、一部のＴＰ情報に含まれるＴＰとして、複数のＴＰ候補のうち、ＣｏＭＰ制御の対象となるＴＰ（CoMP measurement set）を設定する。また、設定部１０１は、ＣＳＩ報告対象端末２００に対して、一部のＴＰ情報に含まれるＴＰ毎のページングサブフレーム情報を生成する。
【０１０１】
以上のように設定部１０１によって生成された一部のＴＰ情報、及び、実施の形態１と同様のＴＰ候補情報、ページングサブフレーム情報は、それぞれ設定情報として、符号化・変調部１０２、送信処理部１０４、及び送信部１０５において送信処理がなされた後に、ＣＳＩ報告対象端末２００へ送信される。
【０１０２】
ＴＰ候補情報、一部のＴＰ情報及びページングサブフレーム情報を通知する制御情報として、無線リソース制御の情報（RRC signalling）を用いることができる。
【０１０３】
また、一部のＴＰ情報及びページングサブフレーム情報は、MAC Control Element（ＭＡＣ  ＣＥ）を用いて通知されてもよい。ＭＡＣ  ＣＥは、ＭＡＣ層で付加されるヘッダとして制御情報が埋め込まれる。この際、一部のＴＰ情報において、各ＴＰに対応するビットマップを用いて、各ＴＰが一部の送信ポイントに該当するか否かを通知してもよい。すなわち、一部のＴＰ（基地局）を示す「一部のＴＰ情報」は、複数のＴＰ候補のうち、いずれが一部のＴＰであるかを示すビットマップ型の情報である。具体的には、図１５は、インデックスｉ＝１〜１１の１１個のＴＰを示すＴｉにそれぞれ対応するビットマップを示す。図１５では、Ｔｉを表すTP index iのビットが‘１’であれば、Ｔｉに対応するＴＰが一部の送信ポイントに該当することを意味し、TP index iのビットが‘０’であれば、Ｔｉに対応するＴＰが一部の送信ポイントではないことを意味する。
【０１０４】
また、図１５に示すＭＡＣ  ＣＥでは、一部のＴＰ（TP index iのビットが‘１’）に適用されるページングサブフレームの設定値「ｎＢ」が通知される。
【０１０５】
また、設定部１０１は、一部のＴＰ情報に含まれるＴＰの組み合わせ（例えば、図１５のビットマップで‘１’となるＴＰの組み合わせ）を状況に応じて変更してもよい。例えば、一部のＴＰ情報に基づくＣＳＩ報告を受信した際、或るＴＰで劣悪なＣＳＩが報告されたとする。この場合、基地局１００は、当該ＴＰを「一部のＴＰ情報」から削除しつつ、他のＴＰを「一部のＴＰ情報」に追加してもよい。換言すると、基地局１００は、ＣＳＩがより良好であるＴＰを「一部のＴＰ情報」に追加してもよい。または、基地局１００は、一部のＴＰ情報に含まれるＴＰと端末２００との間の物理的な距離が離れたと推測される場合、上記同様、当該ＴＰを「一部のＴＰ情報」から削除してもよい。なお、基地局１００は、一部のＴＰ情報に含まれるＴＰの組み合わせを変更した際、ＭＡＣ  ＣＥを用いて任意のタイミングで端末２００に通知すればよい。
【０１０６】
受信処理部１０８は、設定部１０１から受け取るＴＰ候補情報、一部のＴＰ情報及びページングサブフレーム情報を含む設定情報、及び、トリガ情報に基づいて、ＣＳＩ報告がマッピングされているリソースを特定し、受信信号から、特定されたリソースにマッピングされている信号成分を抽出する。具体的には、受信処理部１０８は、一部のＴＰ情報にされるＴＰ候補に対応するページングサブフレーム情報に示されるページングサブフレームでは、端末２００からＣＳＩ報告が送信されないと判断し、ＣＳＩ報告の受信処理を行わない。つまり、ＣＳＩ生成を行わないサブフレームは、一部のＴＰ情報に示されるＴＰに設定されたページングサブフレームからなる。一方、受信処理部１０８は、一部のＴＰ情報に含まれるＴＰ候補に対応するページングサブフレーム情報に示されるページングサブフレーム以外のサブフレームでは、上記特定されるリソースでＣＳＩ報告を受信する。
【０１０７】
一方、本実施の形態に係る端末２００において、ＣＳＩ生成部２０６は、ＴＰ候補情報、一部のＴＰ情報、ページングサブフレーム情報及びトリガ情報に基づいて、ＣＳＩ（チャネル情報）を生成する。具体的には、ＣＳＩ生成部２０６は、一部のＴＰ情報に示されるＴＰ候補に対してそれぞれ設定されたページングサブフレーム（つまり、Ｄｒｏｐのタイミング）に基づいて、ＣＳＩ生成（ＣＳＩ報告）を行わないサブフレームを特定する。そして、ＣＳＩ生成部２０６は、特定したサブフレーム以外のサブフレームでは、複数のＴＰのＣＳＩ−ＲＳを用いてＣＳＩを生成し、上記特定したサブフレームでは、ＣＳＩを生成しない。
【０１０８】
また、ＣＳＩ生成部２０６は、周期的ＣＳＩ報告が設定された場合、ＴＰ候補情報に含まれる全てのＴＰのＣＳＩ報告のタイミングでは、ＴＰ候補情報に含まれる全てのＴＰからのＣＳＩ−ＲＳを用いたＣＳＩ測定により、ＣＳＩを生成する。また、ＣＳＩ生成部２０６は、一部のＴＰ情報に示されるＴＰのＣＳＩ報告のタイミングでは、一部のＴＰ情報に示されるＴＰからのＣＳＩ−ＲＳを用いたＣＳＩ測定により、一部のＴＰのＣＳＩを生成する。
【０１０９】
また、ＣＳＩ生成部２０６は、非周期的ＣＳＩ報告が設定された場合、ＴＰ候補情報に含まれる全てのＴＰのＣＳＩ報告に対応するトリガ情報を受信すると、ＴＰ候補情報に含まれる全てのＴＰからのＣＳＩ−ＲＳを用いたＣＳＩ測定により、ＣＳＩを生成する。また、ＣＳＩ生成部２０６は、一部のＴＰ情報に示されるＴＰのＣＳＩ報告に対応するトリガ情報を受信すると、一部のＴＰ情報に示されるＴＰからのＣＳＩ−ＲＳを用いたＣＳＩ測定により、ＣＳＩを生成する。
【０１１０】
以上の構成を有する基地局１００及び端末２００の動作について説明する。
【０１１１】
図１６は、基地局１００及び端末２００の処理の流れを示すシーケンス図を示す。なお、ここでは、移動制御において端末２００の接続先となり得るＴＰ（ＴＰ候補）を、図７に示すＰＣｅｌｌに対応するＴＰ候補（ピコセル）、周辺ＴＰ候補Ａ（ピコセル）及び周辺ＴＰ候補Ｂ（マクロセル）の３個のＴＰとする。
【０１１２】
また、基地局１００は、CoMP measurement setの初期値として、或る単一のＴＰを設定する。例えば、CoMP measurement setの初期値として設定される単一のＴＰは、端末２００との間でステップ（以下、「ＳＴ」という）１０１〜ＳＴ１０５の処理（後述する）を行うＴＰ（端末２００向けの下り制御信号のやり取りを行うＴＰ。つまり、ＰＣｅｌｌに対応するＴＰ候補）とする。基地局１００は、図１６に示す「一部のＴＰ情報」の初期値として、当該単一のＴＰに対応するTP index iを‘１’とし、他のＴＰに対応するTP index iを‘０’とする。このようなビットマップで表される一部のＴＰ情報は、ＭＡＣ  ＣＥ（例えば図１５参照）によって基地局１００から端末２００へ予め通知される。
【０１１３】
図１６において、ＳＴ１０１では、基地局１００は、ＴＰ候補情報を端末２００へ通知する。ここで、基地局１００は、ＴＰ候補として、ＰＣｅｌｌに対応するＴＰ候補、周辺ＴＰ候補Ａ、周辺ＴＰ候補Ｂを含める。このＴＰ候補情報は、無線リソース制御用のメッセージ（RRC signalling）で基地局１００から端末２００へ通知される。また、基地局１００は、設定情報を、CQI-ReportConfigメッセージに含めて通知してもよい。また、基地局１００は、ＣＳＩ報告対象端末２００に対して周期的ＣＳＩ報告又は非周期的ＣＳＩ報告の何れであるかを設定し、設定した情報を、CQI-ReportConfigメッセージに含めて通知してもよい。
【０１１４】
ＳＴ１０２では、基地局１００は、自機に設定されたＣＳＩ−ＲＳを端末２００へ送信する。
【０１１５】
ＳＴ１０３では、基地局１００は、端末２００に対して、全てのＴＰ候補のＣＳＩ報告を要求する。
【０１１６】
ＳＴ１０３でＣＳＩ報告要求を受け取ると、ＳＴ１０４では、端末２００は、ＳＴ１０２で受け取ったＣＳＩ−ＲＳを含む各ＴＰから送信された複数のＣＳＩ−ＲＳを用いて、ＳＴ１０１で受け取ったＴＰ候補情報に示される全てのＴＰ候補（ＰＣｅｌｌに対応するＴＰ候補、周辺ＴＰ候補Ａ、周辺ＴＰ候補Ｂ）に対するＣＳＩ測定を行う。つまり、端末２００は、ＴＰ候補情報に基づいて、複数のＴＰから送信された複数のＣＳＩ−ＲＳのそれぞれに対するＣＳＩを生成する。
【０１１７】
ＳＴ１０５では、端末２００は、ＳＴ１０４で測定したＣＳＩ（ＰＣｅｌｌに対応するＴＰ候補、周辺ＴＰ候補Ａ、周辺ＴＰ候補ＢのＣＳＩ）を、基地局１００へ報告する。
【０１１８】
ＳＴ１０６では、基地局１００は、ＳＴ１０５で受け取ったＣＳＩを復調する。このＣＳＩは、例えば、移動制御に使用される。
【０１１９】
例えば、ＳＴ１０６において復調された、ＰＣｅｌｌに対応するＴＰ候補、周辺ＴＰ候補Ａ、周辺ＴＰ候補Ｂの各ＣＳＩのうち、ＰＣｅｌｌに対応するＴＰ候補、及び、周辺ＴＰ候補ＡのＣＳＩが良好であり、周辺ＴＰ候補ＢのＣＳＩが劣悪であるとする。この場合、基地局１００は、ＰＣｅｌｌに対応するＴＰ候補及び周辺ＴＰ候補Ａの２つのＴＰを、CoMP measurement setに設定する。つまり、基地局１００は、一部のＴＰ情報に、ＰＣｅｌｌに対応するＴＰ候補及び周辺ＴＰ候補Ａの２つのＴＰを含める。すなわち、ここでは、ＣＳＩ報告対象として、限定された一部のＴＰ（一部のＴＰ情報）を、ＣｏＭＰ制御に用いるCoMP measurement set（ＣｏＭＰの制御対象の送信ポイント）として定義し、これらのＴＰに対するＣＳＩ報告要求を、CoMP measurement setのＣＳＩ報告を要求する動作と表現する。
【０１２０】
また、基地局１００は、端末２００に対して、一部のＴＰ情報に示されるＴＰ候補（ＰＣｅｌｌに対応するＴＰ候補及び周辺ＴＰ候補Ａ）に設定されたページングサブフレームを示すページングサブフレーム情報をそれぞれ生成する。つまり、基地局１００は、端末２００に対して、周辺ＴＰ候補Ｂに設定されたページングサブフレーム情報を生成しない。
【０１２１】
ＳＴ１０７では、基地局１００は、この更新された一部のＴＰ情報（つまり、CoMP measurement setの更新）及びページングサブフレーム情報を、ＭＡＣ  ＣＥ（例えば図１５参照）によって端末２００へ通知する。
【０１２２】
ＳＴ１０８では、基地局は、ＳＴ１０２と同様にして、自機に設定されたＣＳＩ−ＲＳを端末２００へ送信する。ＳＴ１０９では、基地局１００は、端末２００に対して、CoMP measurement setのＣＳＩ報告を要求する。すなわち、基地局１００は、端末２００に対して、一部のＴＰ情報においてＣＳＩ報告対象であるＴＰのＣＳＩ報告を要求する。
【０１２３】
ＳＴ１０９でＣＳＩ報告要求を受け取ると、ＳＴ１１０では、端末２００は、ＳＴ１０８で受け取ったＣＳＩ−ＲＳを含む、各ＴＰから送信されたＣＳＩ−ＲＳを用いて、ＳＴ１０８で受け取った一部のＴＰ情報においてＣＳＩ報告対象として示されるＴＰ候補（ＰＣｅｌｌに対応するＴＰ候補、周辺ＴＰ候補Ａ）に対するＣＳＩ測定を行う。この際、端末２００は、一部のＴＰ情報においてＣＳＩ報告対象として示されるＴＰ候補（ＰＣｅｌｌに対応するＴＰ候補、周辺ＴＰ候補Ａ）の報告タイミングのうち、ＳＴ１０７で通知されたページングサブフレーム情報に示されるページングサブフレームに該当するタイミングでは、ＣＳＩ報告を行わない。
【０１２４】
具体的には、図１７Ａに示すように、端末２００は、ＴＰ候補情報に示されるＴＰ候補であるＰＣｅｌｌに対応するＴＰ候補、周辺ＴＰ候補Ａ、周辺ＴＰ候補Ｂのうち、一部のＴＰ情報に示されるＴＰ候補（ＣＳＩ報告対象）であるＰＣｅｌｌに対応するＴＰ候補及び周辺ＴＰ候補Ａのページングサブフレーム（実線の楕円で囲まれたサブフレーム＃９）において、ＣＳＩを生成しない。このように、端末２００は、一部のＴＰ情報に示されるＴＰ毎のページングサブフレーム情報を受信し、当該ページングサブフレーム情報に基づいて、ＣＳＩ生成を行わないサブフレームを特定する。
【０１２５】
つまり、図１７Ａに示すように、端末２００は、ＣＳＩ報告対象以外のＴＰ候補（周辺ＴＰ候補Ｂ）のみでページングサブフレームとなるタイミング（一点鎖線の楕円で囲まれたサブフレーム＃９）を考慮しない。すなわち、端末２００は、図１７Ａにおいて、周辺ＴＰ候補Ｂのみでページングサブフレームが設定されたタイミング（一点鎖線の楕円で囲まれたサブフレーム＃９）においてもＣＳＩ報告を生成する。ここで、図１７Ａに示す一点鎖線の楕円で囲まれたサブフレーム＃９では、周辺ＴＰ候補ＢではＤｒｏｐにより、ＣＳＩ−ＲＳ送信及びミューティングが適用されず、ページング又はデータ信号が送信される可能性がある。しかし、ＳＴ１０６で報告されたＣＳＩが劣悪であることから、端末２００において、周辺ＴＰ候補Ｂから送信される信号が与える干渉の影響は極めて小さい。よって、図１７Ａに示す一点鎖線の楕円で囲まれたサブフレーム＃９において、端末２００は、周辺ＴＰ候補ＢでのＤｒｏｐの影響を回避してＣＳＩを生成することができる。
【０１２６】
ＳＴ１１１では、端末２００は、ＳＴ１１０で測定したＣＳＩ（ＰＣｅｌｌに対応するＴＰ候補、周辺ＴＰ候補Ａ）を、基地局１００へ報告する。
【０１２７】
ＳＴ１１２では、基地局１００は、ＳＴ１１１で受け取ったＣＳＩを復調する。このＣＳＩは、例えば、ＣｏＭＰ制御に使用される。
【０１２８】
以降、基地局１００は、ＣｏＭＰ制御に必要な頻度で、CoMP measurement setのＣＳＩ報告要求を行う。また、基地局１００は、例えば、CoMP measurement setのＣＳＩ報告要求よりも少ない頻度で、全てのＴＰに対するＣＳＩ報告要求を行う。
【０１２９】
ここで、図１６に示すように、ＳＴ１１３で復調された、周辺ＴＰ候補ＢのＣＳＩが所定の値（閾値）よりも大きくなり、基地局１００が、周辺ＴＰ候補Ｂから端末２００に届く信号の受信品質が良好になったことを検出したとする。この場合、基地局１００は、CoMP measurement set（つまり、一部のＴＰ情報）を更新する。つまり、基地局１００は、周辺ＴＰ候補ＢをCoMP measurement set（一部のＴＰ情報）に追加してもよい。また、基地局１００は、端末２００に対して、一部のＴＰ情報に示されるＴＰ候補（ＰＣｅｌｌに対応するＴＰ候補、周辺ＴＰ候補Ａ、周辺ＴＰ候補Ｂ）に設定されたページングサブフレームを示すページングサブフレーム情報をそれぞれ生成する。ＳＴ１１４では、基地局１００は、この更新された一部のＴＰ情報（つまり、CoMP measurement setの更新）及びページングサブフレーム情報を、ＭＡＣ  ＣＥ（例えば図１５参照）によって端末２００へ通知する。
【０１３０】
ＳＴ１１５では、基地局１００は、ＳＴ１０２と同様にして、自機に設定されたＣＳＩ−ＲＳを端末２００へ送信する。ＳＴ１１６では、基地局１００は、端末２００に対して、CoMP measurement setのＣＳＩ報告を要求する。ＳＴ１１７では、端末２００は、ＳＴ１１５で受け取ったＣＳＩ−ＲＳを含む各ＴＰから送信されたＣＳＩ−ＲＳを用いて、ＳＴ１１６で受け取った一部のＴＰ情報においてＣＳＩ報告対象として示されるＴＰ候補（ＰＣｅｌｌに対応するＴＰ候補、周辺ＴＰ候補Ａ、周辺ＴＰ候補Ｂ）に対するＣＳＩ測定を行う。この際、端末２００は、一部のＴＰ情報においてＣＳＩ報告対象として示されるＴＰ候補（ＰＣｅｌｌに対応するＴＰ候補、周辺ＴＰ候補Ａ、周辺ＴＰ候補Ｂ）の報告タイミングのうち、ＳＴ１１４で通知されたページングサブフレーム情報に示されるページングサブフレームに該当するタイミングでは、ＣＳＩ報告を行わない。
【０１３１】
具体的には、図１７Ｂに示すように、端末２００は、一部のＴＰ情報に示されるＴＰ候補（ＣＳＩ報告対象）であるＰＣｅｌｌに対応するＴＰ候補、周辺ＴＰ候補Ａ及び周辺ＴＰ候補のページングサブフレーム（実線及び破線の楕円で囲まれたサブフレーム＃９）において、ＣＳＩを生成しない。つまり、端末２００は、図１７Ｂにおいて、周辺ＴＰ候補Ｂのみでページングサブフレームが設定されたタイミング（破線の楕円で囲まれたサブフレーム＃９）においてもＣＳＩ報告を生成しない。ここで、ＳＴ１１３で得られた、周辺ＴＰ候補ＢのＣＳＩが良好であることから、端末２００において、周辺ＴＰ候補Ｂから送信される信号が与える干渉の影響は大きいと考えられる。よって、図１７Ｂに示す破線の楕円で囲まれたサブフレーム＃９において、端末２００は、周辺ＴＰ候補ＢでのＤｒｏｐによるＣＳＩ測定精度劣化の影響を排除すべく、ＣＳＩを生成しない。
【０１３２】
ＳＴ１１８では、端末２００は、ＳＴ１１７で測定したＣＳＩ（ＰＣｅｌｌに対応するＴＰ候補、周辺ＴＰ候補Ａ、周辺ＴＰ候補ＢのＣＳＩ）を、基地局１００へ報告する。ＳＴ１１９では、基地局１００は、ＳＴ１１８で受け取ったＣＳＩを復調する。
【０１３３】
以降、基地局１００及び端末２００は、上記処理を繰り返す。
【０１３４】
このようにして、基地局１００は、一部のＴＰ（ここではＣＳＩ報告対象とするＴＰ）の組み合わせを変更する必要があると判断した場合、該当するＴＰを一部のＴＰから追加又は削除する。例えば、一部のＴＰ（ここではＣＳＩ報告対象とするＴＰ）の組み合わせを変更する必要がある場合としては、基地局１００が全てのＴＰのＣＳＩを受信した際に、所定の閾値よりも良好なＣＳＩが報告され、当該ＣＳＩに対応するＴＰから物理的に近い位置に端末２００が移動したと推測される場合などが挙げられる。
【０１３５】
このように、基地局１００は、端末２００に対して、移動制御の候補となる複数のＴＰを、RRC signaling等の制御を用いて長時間変更せずに用いつつ、これらの複数のＴＰのうち一部のＴＰ（例えばＣｏＭＰ制御対象）のＣＳＩのみを端末２００に報告させるために、一部のＴＰ情報及び一部のＴＰ情報に対応するページングサブフレーム情報を更新する。
【０１３６】
また、基地局１００は、一部のＴＰの組み合わせを変更する際、一部のＴＰに含まれる各ＴＰのページングサブフレームを示すページングサブフレーム情報を端末２００へ通知する。こうすることで、一部のＴＰ情報と当該一部のＴＰ情報に含まれるＴＰに対応するページングサブフレームとを、同一のタイミングで更新することができる。
【０１３７】
また、端末２００は、Ｄｒｏｐ（ＣＳＩ−ＲＳ送信及びミューティングが非適用）によるＣＳＩ測定精度劣化に及ぼす影響を回避するために、ＣＳＩ報告対象であるＴＰ（一部のＴＰ）におけるページングサブフレームのみでＣＳＩ報告を停止する。換言すると、端末２００は、ＣＳＩ報告対象以外のＴＰ（一部のＴＰ以外のＴＰ）のみでページングサブフレームであってもＣＳＩ報告を行う。ＣＳＩ報告対象以外のＴＰについては、端末２００でのＣＳＩが劣悪であるので、当該ＴＰがＤｒｏｐにより信号を送信したとしても、端末２００が受ける干渉の影響は極めて小さい。
【０１３８】
例えば、実施の形態１（図１４）と比較すると、図１７Ａでは、ＣＳＩ報告対象以外のＴＰ（一部のＴＰ以外のＴＰ）のみにページングサブフレームが設定されているタイミング（図１７Ａに示す破線で囲まれた部分）でも端末２００がＣＳＩ報告を行う分、ＣＳＩ報告回数が多くなる。このように、ページングサブフレームの設定頻度が高いＴＰがＴＰ候補として含まれる場合でも、ＣＳＩ報告を行わないサブフレームを一部のＴＰのページングサブフレームのみに限定する。
【０１３９】
こうすることで、本実施の形態では、端末２００の接続先となり得るＴＰの候補（移動制御の候補）を広く確保しつつ、詳細なＣＳＩ報告対象のＴＰ及びＣＳＩ報告を停止するページングサブフレームを、一部のＴＰ（ＣｏＭＰ制御対象）のみに限定することができる。こうすることで、ＤｒｏｐがＣＳＩ測定精度劣化に及ぼす影響を回避するためのＣＳＩ報告停止の頻度を低くすることができる。
【０１４０】
また、基地局１００は、一部のＴＰに含まれるＴＰを更新した際には、ＭＡＣ  ＣＥを用いて一部のＴＰ情報を通知することで、任意のタイミングで一部のＴＰ情報を端末２００へ通知することができる。
【０１４１】
また、端末２００は、実施の形態１と同様、測定精度が劣化したＣＳＩを除外し、正常に測定されたＣＳＩを基地局１００へ報告することができる。よって、基地局１００は、各ＴＰのページングサブフレームにおいてＣＳＩ−ＲＳ送信又はミューティングが適用されないことによるＣＳＩ測定精度劣化の影響を排除して、ＣｏＭＰ制御を適用することができる。よって、本実施の形態によれば、端末２００におけるＣＳＩ測定結果の精度を確保して、スループット低下を防ぐことができる。
【０１４２】
なお、基地局１００（設定部１０１）は、一部のＴＰ情報に含まれるＴＰの組み合わせを決定するために、ＴＰ候補情報に含まれる全てのＴＰのＣＳＩ報告を用いてもよい。具体的には、基地局１００は、ＴＰ候補情報に含まれる全てのＴＰのＣＳＩ報告のうち、ＣＳＩの良好な上位数個（所定数）のＴＰを、一部のＴＰ情報に含まれるＴＰの組み合わせとして決定してもよい。すなわち、一部のＴＰ情報に含まれるＴＰは、複数のＴＰのうち、ＣＳＩがより良い所定数のＴＰである。
【０１４３】
また、本実施の形態では、基地局１００が、一部のＴＰ情報と合わせて、当該一部のＴＰ情報に対応するページングサブフレーム情報を生成し、端末２００に通知する場合について説明した。しかし、基地局１００は、ＴＰ候補情報に含まれる複数のＴＰのページングサブフレーム情報を端末２００に予め通知し、端末２００は、一部のＴＰ情報を受信する度に、予め通知されたページングサブフレーム情報を用いて、ＣＳＩ報告を行わないサブフレームを特定してもよい。すなわち、端末２００は、一部のＴＰ情報を受信する度に、予め保持するページングサブフレーム情報に示されるページングサブフレームのうち、一部のＴＰ情報に示される一部のＴＰに対応するページングサブフレームを、ＣＳＩ報告を行わないサブフレームとしてもよい。この構成により、基地局１００は、一部のＴＰ情報の更新の際、当該一部のＴＰ情報の他に別途制御情報（ページングサブフレーム情報）を追加する必要がなく、端末２００側でページングサブフレーム情報を更新することができる。
【０１４４】
また、本実施の形態において、基地局１００がＴＰ候補情報に含まれる各ＴＰのページングサブフレーム情報を端末２００に予め通知し、端末２００が、端末２００から別途報告される受信信号電力の長区間平均値（ＲＳＲＰ（Reference Signal Reception Power））に応じてページングサブフレーム情報を生成してもよい。ＲＳＲＰは、例えば、ＣＲＳを用いて測定される。具体的には、端末２００は、ＴＰ候補に含まれるＴＰのうち最大のＲＳＲＰから、所定の閾値以内に含まれるＲＳＲＰ値となるＴＰを対象として、ページングサブフレーム情報を生成する。すなわち、端末２００は、予め通知されたページングサブフレーム情報に示される複数のＴＰのページングサブフレームのうち、ＲＳＲＰ値が閾値以上であるＴＰに対応するページングサブフレームを、ＣＳＩ報告を行わないサブフレームとしてもよい。つまり、端末２００は、ＲＳＲＰに基づいて、ページングサブフレームでのＤｒｏｐによるＣＳＩ測定精度劣化の影響を排除する対象となる一部のＴＰを特定する。この構成により、上記一部のＴＰを通知するために別途制御情報を追加することなく、ＣＳＩ報告を行わないサブフレームを更新することができる。なお、ここでは長区間平均値（ＣＲＳを用いて算出されるＲＳＲＰ値）を基準として用いる場合について説明したが、これに限らず、全ＴＰのＣＳＩを報告する際に用いられるWideband CQI値を基準としてもよい。これにより、従来のＲＳＲＰ測定の定義を流用しつつ、ＲＳＲＰ測定が規定されていないＣＳＩ−ＲＳを用いた動作が可能となる。
【０１４５】
また、本実施の形態では、一部のＴＰ情報に示されるＴＰ候補（つまり、ページングサブフレーム情報の生成対象）と、ＣｏＭＰ制御対象のＴＰ（CoMP measurement set。つまり、ＣＳＩ報告対象）と、を一致させる場合について説明した。しかし、一部のＴＰ情報に示されるＴＰと、ＣｏＭＰ制御対象となるＴＰとを異なるように（少なくとも一部が異なるように）設定されてもよい。この構成をとることにより、ＤｒｏｐしてもＣＳＩ測定への影響の少ないＴＰについては、ＣＳＩ報告対象とするが、ページングサブフレーム情報の生成対象（つまり、一部のＴＰ）に含めないとする運用も可能となる。こうすることで、Ｄｒｏｐの頻度が高いＴＰに対して、ページングサブフレーム情報の生成対象とせずに、ＣＳＩ報告対象に含めやすくなる。
【０１４６】
以上、本発明の各実施の形態について説明した。
【０１４７】
［他の実施の形態］
（１）上記各実施の形態において、アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１４８】
例えば3GPP LTEにおいては、アンテナポートが何本の物理アンテナから構成されるかは規定されず、基地局が異なる参照信号（Reference signal）を送信できる最小単位として規定されている。
【０１４９】
また、アンテナポートはプリコーディングベクトル（Precoding vector）の重み付けを乗算する最小単位として規定されることもある。
【０１５０】
（２）上記各実施の形態では、本発明をハードウェアで構成する場合を例にとって説明したが、本発明はハードウェアとの連携においてソフトウェアでも実現することも可能である。
【０１５１】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１５２】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１５３】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１５４】
本開示の端末は、複数の送信ポイントからそれぞれ送信される参照信号を受信する受信手段と、前記複数の送信ポイントに対してそれぞれ設定された第１のサブフレームに基づいて第２のサブフレームを特定し、前記第２のサブフレーム以外のサブフレームでは、前記複数の送信ポイントの前記参照信号を用いてチャネル情報を生成し、前記第２のサブフレームでは、前記チャネル情報を生成しない生成手段と、生成された前記チャネル情報を送信する送信手段と、を具備する構成を採る。
【０１５５】
本開示の端末において、前記第２のサブフレームは、前記複数の送信ポイントに設定された前記第１のサブフレームからなる。
【０１５６】
本開示の端末において、前記第２のサブフレームは、前記複数の送信ポイントのうち一部であって少なくとも一つの送信ポイントに設定された前記第１のサブフレームのみからなる。
【０１５７】
本開示の端末において、前記受信手段は、前記複数の送信ポイント毎の前記第１のサブフレームを示す情報を受信し、前記生成手段は、前記情報に基づいて前記第２のサブフレームを特定する。
【０１５８】
本開示の端末において、前記受信手段は、前記一部の送信ポイント毎の前記第１のサブフレームを示す情報を受信し、前記生成手段は、前記情報に基づいて前記第２のサブフレームを特定する。
【０１５９】
本開示の端末において、前記受信手段は、前記複数の送信ポイントの前記第１のサブフレームを示す第１の情報を受信し、前記一部の送信ポイントを示す第２の情報を受信し、前記生成手段は、前記第２の情報が受信される度に、前記第１の情報に示される前記第１のサブフレームのうち、前記第２の情報に示される前記一部の送信ポイントに対応するサブフレームを、前記第２のサブフレームとする。
【０１６０】
本開示の端末において、前記受信手段は、前記複数の送信ポイントの前記第１のサブフレームを示す情報を受信し、前記生成手段は、前記情報に示される前記第１のサブフレームのうち、受信信号電力が閾値以上である送信ポイントに対応するサブフレームを、前記第２のサブフレームとする。
【０１６１】
本開示の端末において、前記一部の送信ポイントと、複数送信ポイント協調送信の制御対象となる送信ポイントとは少なくとも一部が異なる。
【０１６２】
本開示の端末において、前記一部の送信ポイントは、前記複数の送信ポイントのうち、複数送信ポイント協調送信の制御対象となる送信ポイントである。
【０１６３】
本開示の端末において、前記一部の送信ポイントを示す情報は、前記複数の送信ポイントのうち、いずれが前記一部の送信ポイントであるかを示すビットマップ型の情報である。
【０１６４】
本開示の端末において、前記一部の送信ポイントは、前記複数の送信ポイントのうち、チャネル情報がより良好である送信ポイントである。
【０１６５】
本開示の端末において、前記第１のサブフレームは、ページングが送信されるサブフレームである。
【０１６６】
本開示の基地局は、端末に対して複数の送信ポイントを設定する設定手段と、前記複数の送信ポイントに対してそれぞれ設定された第１のサブフレームに基づいて第２のサブフレームを特定し、前記第２のサブフレーム以外のサブフレームにおいて、前記複数の送信ポイントのチャネル情報を受信し、前記第２のサブフレームにおいて、前記チャネル情報を受信しない受信手段と、を具備する構成を採る。
【０１６７】
本開示の送信方法は、複数の送信ポイントからそれぞれ送信される参照信号を受信し、前記複数の送信ポイントに対してそれぞれ設定された第１のサブフレームに基づいて第２のサブフレームを特定し、前記第２のサブフレーム以外のサブフレームでは、前記複数の送信ポイントの前記参照信号を用いてチャネル情報を生成し、前記第２のサブフレームでは、前記チャネル情報を生成せず、生成された前記チャネル情報を送信する。
【０１６８】
本開示の受信方法は、端末に対して複数の送信ポイントを設定し、前記複数の送信ポイントに対してそれぞれ設定された第１のサブフレームに基づいて第２のサブフレームを特定し、前記第２のサブフレーム以外のサブフレームにおいて、前記複数の送信ポイントのチャネル情報を受信し、前記第２のサブフレームにおいて、前記チャネル情報を受信しない。
【０１６９】
２０１２年２月１６日出願の特願２０１２−０３１６５６の日本出願に含まれる明細書、図面および要約書の開示内容は、すべて本願に援用される。
【産業上の利用可能性】
【０１７０】
本発明は、移動通信システム等に有用である。
【符号の説明】
【０１７１】
１００  基地局
１０１  設定部
１０２，１０３  符号化・変調部
１０４  送信処理部
１０５，２０９  送信部
１０６，２０１  アンテナ
１０７，２０２  受信部
１０８，２０３  受信処理部
１０９  データ受信部
１１０  ＣＳＩ受信部
２００  端末
２０４  リファレンス信号生成部
２０５  データ信号生成部
２０６  ＣＳＩ生成部
２０７  送信制御部
２０８  送信信号形成部
【図１】
2013121728.tif 000003
【図２】
2013121728.tif 000004
【図３】
2013121728.tif 000005
【図４】
2013121728.tif 000006
【図５】
2013121728.tif 000007
【図６】
2013121728.tif 000008
【図７】
2013121728.tif 000009
【図８】
2013121728.tif 000010
【図９】
2013121728.tif 000011
【図１０】
2013121728.tif 000012
【図１１】
2013121728.tif 000013
【図１２】
2013121728.tif 000014
【図１３】
2013121728.tif 000015
【図１４】
2013121728.tif 000016
【図１５】
2013121728.tif 000017
【図１６】
2013121728.tif 000018
【図１７】
2013121728.tif 000019
【国際調査報告】
2013121728.tif 000020
2013121728.tif 000021